(57)【要約】      （修正有）【課題】ホースは物を運ぶ距離が長く、又高いところへ運びたい場合等、その物の輸送にかかるエネルギーの観点からすると問題が生じるケースがあった。  この問題の解決策としては、管、ホースの途中に輸送の為の新たに発動機或いはモーター等を用意して新たに輸送される品に推力を与えねばならない。そうすれば、当然コストもそれなりに必要となる。本発明は、この欠点を解決するためになされたものである。【解決手段】双方向型の管、ホースの内側に、一方通行型の複数の弁を設ける事によって、一方への物の輸送にかかるエネルギーの軽減を実現することを特徴とする管、ホースである。【選択図】図２
2007002993.tif 000002
【特許請求の範囲】
【請求項１】
管、ホースの内側に、一方通行型の弁を設ける事によって、一方への物の輸送にかかるエネルギーの軽減を実現することを特徴とする管、ホース。
【請求項２】
管、ホースの、最初しばらくの部分を除いた部分の内側に、一方通行型の弁を設ける事によって、より軽便な管、ホースで、一方への物の輸送にかかるエネルギーの軽減を実現することを特徴とする管、ホース。
【請求項３】
固定的に作成され、その内部通路が一方通行型な管、ホースが、ある地点から上に向かう場合、その地点から上に向かう場所の範囲内で、その管、ホースの内側に、一方通行型の弁を設ける事によって、一方への物の輸送にかかるエネルギーの軽減を実現することを特徴とする管、ホース。
【請求項４】
人工血管において、その内部に弁を設ける。
【請求項５】
請求項１に記載の管、ホースにおいて、気体、液体、固体の取入れが必要となる、密閉式のポンプの場合は、その取入れ口として、その管、ホースの放出弁とはポンプ主体から見て、逆向きの弁、即ち吸入弁を備える。
【請求項６】
請求項１に記載の管、ホースにおいて、気体、液体、固体の放出が必要となる、密閉式のポンプの場合は、その放出口として、その管、ホースの吸入弁とはポンプ主体から見て、逆向きの弁、即ち放出弁を備える。
【発明の詳細な説明】
【技術分野】
【０００１】  本発明は、従来の双方向型の管、ホースに代えて、一方通行型の管、ホースを備える事によって、当然片方への方向性は失われると云うマイナス要因は在るものの、もう一方への物の輸送にかかるエネルギーの軽減に係る技術に関するものである。
【背景技術】
【０００２】  従来、何か物一多くの場合液体一を運ぶ管、ホースは、当然のごとく双方向型で作られてきた。
これはシンプルであり、その割には合目的ゝな要素の多く見られる、素晴らしいパターンであった。
ただ、運ぶ距離が長く又高いところへ運ぶとき、また時によっては手動で、すなわちポンプのように輸送と休憩が交互にくる物のとき、あるいは、何回かに分けて運びたい場合等、その物の輸送にかかるエネルギーの観点から（かかり過ぎるという）問題が生じるケースがあった。
【発明が解決しようとする課題】
【０００３】  この問題の解決策としては、管、ホースの途中に輸送の為、また新たに発動機或いはモーター等を用意して新たに輸送される品に運ばれる力、推力を与えねばならない。
当然コストもそれなりに必要となり、出来れば、無くして済むならば、そうしたい問題である。
管、ホースは便利な素晴らしい器具ではあるが、それでもここに挙げた事例に対応しにくいのは、やはり１つの欠点といえよう。
本発明は、この欠点を解決するためになされたものである。
【課題を解決するための手段】
【０００４】  管、ホースの内側に、一方通行型の弁を設ける事によって、一方への物の輸送にかかるエネルギーの軽減を実現することを特徴とする管、ホース。
【０００５】  管、ホースの、最初しばらくの部分を除いた部分の内側に、一方通行型の弁を設ける事によって、より軽便な管、ホースで、一方への物の輸送にかかるエネルギーの軽減を実現することを特徴とする管、ホース。
【０００６】  固定的に作成され、その内部通路が一方通行型な管、ホースが、ある地点から上に向かう場合、その地点から上に向かう場所の範囲内で、その管、ホースの内側に、一方通行型の弁を設ける事によって、一方への物の輸送にかかるエネルギーの軽減を実現することを特徴とする管、ホース。
【０００７】  人工血管において、その内部に弁を設ける。
【０００８】  タイヤなどに空気（気体、液体、固体）を入れるポンプ等、空気（気体、液体、固体）の取入れが必要となる、密閉式のポンプの場合は、空気（気体、液体、固体）取入れ口として、その管、ホースの弁とはポンプ主体で見て、逆向きの弁、即ち吸入弁を備える。
【０００９】  物体から、気体、液体、固体を放出する、密閉式のポンプの場合は、その放出口として、その管、ホースの吸入弁とはポンプ主体から見て、逆向きの弁、即ち放出弁を備える。
本発明は、以上の構成よりなる「一方通行型管、ホース」である。
【発明を実施するための最良の形態】
【００１０】  以下、本発明の実施の形態を説明する。
従来の双方向型の管、ホースの場合、運ぶ距離が長く又高いところへ、又複数回に分けて、運びたい場合等、毎回全行程を運ぶだけのエネルギーが必要となる。
ところが、一方通行型の複数の弁を設けた管、ホースが必要とするのは、発射のポイントから最初の弁までの運搬物の重さのみを対象としたエネルギーと、弁を、開き易い側から、開くのに必要な力のみ、となる。
この考えから、双方向型の管、ホースの内側に、一方通行型の複数の弁を設ける事によって、片方への方向性は失われると云うマイナス要因は在るものの、もう一方への物の輸送にかかるエネルギーの軽減を実現することを特徴とする管、ホースを提案する。【００１１】  これは、自然発生的な、或いは神の、人体における静脈弁の働きをヒントとしており、それなくしては心臓により強力な働き、即ち血液を送りだす力、が求められ、同時に血管、とくに動脈にはそれに堪えるだけの強度他、ありとあらゆるところで違った要素が求められる事になるであろう。
そしてそれは、人体に於いて、動脈には弁がなく静脈のみにある点を、本発明の観点から見ると、弁は血液の逆流を防ぐ、という長所をもつ反面、弁による抵抗は極小化されているとはいえ、やはり血液の流れの妨げにもなっているという短所、も同時にもっており、そこで、血液の流れがまだ十分な動脈には弁がなく、衰えてくる静脈のみに弁がある、と云うことが考えられる。
また、血液の流れの妨げに為るであろう弁をもたない動脈は、その分、軽便でありえている、と云うこともまた云える。
そもそも、血管における血液の問題は、その動力儼たる心臓が脈を打っているからという部分が大きいとも云えるが、今回の応用先でも、管、ホースの元と為る蛇口を閉めたり開いたりする回数がより多いケースが、より大きな効果を得られる事になるであろう。【００１２】  その点に注目して、管、ホースの、最初しばらくの部分を除いた部分の内側に、一方通行型の弁を設ける事によって、より軽便な管、ホースで、一方への物の輸送にかかるエネルギーの軽減を実現することを特徴とする管、ホース。
および、固定的に作成され、その内部通路が一方通行型な管、ホースが、ある地点から上に向かう場合、その地点から上に向かう場所の範囲内で、その管、ホースの内側に、一方通行型の弁を設ける事によって、一方への物の輸送にかかるエネルギーの軽減を実現することを特徴とする管、ホースを提案する。
さらに、発想のヒントとなった医療現場には、人工血管において、その内部に弁を設ける事も考えられる。【００１３】  最後にタイヤなどに空気を出入れするポンプ等、空気の出入れが必要となる、密閉式のポンプの場合は、空気出入れ口として、その管、ホースの弁とはポンプ主体で見て、逆向きの弁を備えると云うことも考えられる。
即ち、本件発明の管、ホースが備える弁は、ポンプから出る方向か入る方向の何れかであるが、後から備える弁は、ポンプに向かって反対の方向にあるという事である。
【発明の効果】
【００１４】  本発明を使用することによって、運ぶ距離が長く又高いところへ運びたい場合等、その物の輸送にかかるエネルギー軽減の観点から、好結果を期待できる。
これは、自然発生的な人体の場合は、人造血管として、人造の物の場合は既述の、「一方通行型管、ホース」として解決を図るべき問題であろう。
【図面の簡単な説明】
【図１】    普通の双方向型管、ホースの図
【図２】    一方通行型管、ホースの図
【図３】    固定的管、ホースの図
【図４】    空気入れポンプの図
【符号の説明】
１  蛇口                ａ  水道の噴出力
２  管、ホース          ｂ  弁を、開き易い側から、開くのに必要な力
３  弁                  ｇ  水の重力
４  残った水
５  固定器具
６  空気入れポンプ
７  逆向きの弁
８  タイヤ
【図１】
2007002993.tif 000003
【図２】
2007002993.tif 000004
【図３】
2007002993.tif 000005
【図４】
2007002993.tif 000006